(57)【要約】【課題】自動車エンジン用セラミックシリンダー構成品の提供。【解決手段】本発明は一種の自動車エンジン用セラミックシリンダー構成品に関わるものである。主にシリンダーの壁面、ピストン表面または両者を同時に、電気メッキ処理技術により、一層のセラミック部材をメッキ加工する。これにより、シリンダーとピストンの摩擦面の耐磨耗性、放熱性、潤滑性を向上し、ピストンとシリンダーとの往復運動ときの密着性を強化することにより、黒排煙を防止し、環境性、省燃費性のほか、伝動力を向上し、使用寿命を延長する長所がある。【選択図】図４
2008032048.tif 000002
【特許請求の範囲】
【請求項１】
シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
シリンダー壁面は電気メッキ表面処理技術により、一層のセラミック部材を被覆することを特徴とする自動車エンジン用セラミックシリンダー構成品。
【請求項２】
シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
ピストンがシリンダーに進入した摩擦表面は電気メッキ表面処理技術により、一層のセラミック部材を被覆することを特徴とする自動車エンジン用セラミックシリンダー構成品。
【請求項３】
シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
シリンダー壁面、およびピストンがシリンダーに進入した摩擦表面は電気メッキ表面処理技術により、一層のセラミック部材を被覆することを特徴とする自動車エンジン用セラミックシリンダー構成品。
【発明の詳細な説明】
【技術分野】
【０００１】
本発明は一種の自動車エンジン用セラミックシリンダー構成品、特に一種のシリンダーボディーの壁面、またはシリンダー内部に進入するピストン表面、もしくは両者を同時に電気メッキ表面処理技術により、一層のセラミック部材をシリンダーまたはピストン表面に被覆することにより、シリンダーの耐磨耗性と放熱性を強化し、省燃費、高効率、燃料を完全に燃焼し、黒排煙を防止し、使用寿命を延長する。
【背景技術】
【０００２】
公知技術の自動車エンジン用セラミックシリンダー構成品は、図１から図３に示す通り、主に、シリンダーボディー１０、内部はボーリング加工により、複数のシリンダー１１を設ける。
【０００３】
シリンダーカーバー１２、スクリューレーバーにより、シリンダーボディー１０に固定し、シリンダーカーバー１２にスパークプラグ１３及排気バルブ１４(図３)を設ける。
【０００４】
複数本のピストン１５、その数はシリンダー１１の数によって決める。シリンダー１１に進入し、シリンダーボディー１０とシリンダーカーバー１２と合せて密閉空間を構成し、ピストン１５はシリンダー１１内部に往復運動することができる。
【０００５】
ピストン１５に複数枚のＣ字型ピストンリング１６を取り付けて、シリンダー１１壁の表面と摩擦する
【０００６】
ピストン１５が一定の位置に運動したとき、スパークプラグ１３により、気化油を点火し爆発させ、その膨張力はピストン１５をシリンダー１１壁に沿って、下部に圧送する。ピストン１５に接続する連稈１７により、運動力をクランクシャフト１８(図３)に伝達し、回転運動を形成した上、伝動機構を介して、動力を出力する。このサイクルにおいて、シリンダー１１壁は高温と摩擦を繰り返しに受けるため、シリンダー１１またはピストン１５が破損すると、動力出力が劣るほか、オイルを燃焼室に浸入して、黒排煙を排出するため、環境問題を引き起こす。さらに、エンジンが作動しなくなることもある。よって、エンジンシリンダー構成品の優れた耐磨耗性と放熱性を実現し、使用寿命を延長することは、業者がつねに追求する目標である。
【０００７】
公知技術のシリンダーの材質はセラミック製シリンダーの耐磨耗性と放熱性がもっとも良い。しかしながら、公知技術のセラミック製シリンダーは、セラミック部材を一体化成型してから、研磨などの加工行程を経た後に完成するため、生産コストが非常に高いのである。
【発明の開示】
【発明が解決しようとする課題】
【０００８】
本発明の主目的は、耐磨耗性、放熱性、潤滑性を向上し、摩擦抵抗力を低減し、環境対策、省燃費性を有し、伝動力を向上し、使用寿命を延長できる一種の自動車エンジン用セラミックシリンダー構成品を提供する。
【０００９】
シリンダー壁面またはピストン表面、または両者を同時に、電気メッキ表面処理技術により、一層のセラミック部材を被覆する。これにより、シリンダーとピストンとの摩擦に対すし、耐磨耗性、放熱性、潤滑性を向上し、摩擦抵抗力を低減し、環境対策、省燃費性を有し、伝動力を向上し、使用寿命の延長をはかる。
【課題を解決するための手段】
【００１０】
請求項１の発明は、シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
シリンダー壁面は電気メッキ表面処理技術により、一層のセラミック部材を被覆することを特徴とする自動車エンジン用セラミックシリンダー構成品としている。
請求項２の発明は、シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
ピストンがシリンダーに進入した摩擦表面は電気メッキ表面処理技術により、一層のセラミック部材を被覆することを特徴とする自動車エンジン用セラミックシリンダー構成品としている。
請求項３の発明は、シリンダーボディーを含み、シリンダーボディーの内部はボーリング加工によりシリンダーを設け、その天面にシリンダー蓋を固定し、ピストンはシリンダー内に嵌め込まれて設け、ピストンの周りにピストンリングを挿入し、その底部に連稈により、クランクシャフトと連結して動力を出力し、
シリンダー壁面、およびピストンがシリンダーに進入した摩擦表面は電気メッキ表面処理技術により、一層のセラミック部材を被覆することを特徴とする自動車エンジン用セラミックシリンダー構成品としている。
【発明の効果】
【００１１】
本発明はシリンダーボディーの壁面、またはシリンダー内部に進入するピストン表面、もしくは両者を同時に電気メッキ表面処理技術により、一層のセラミック部材をシリンダーまたはピストン表面に被覆することにより、シリンダーの耐磨耗性と放熱性を強化し、省燃費、高効率、燃料を完全に燃焼し、黒排煙を防止し、使用寿命を延長する。
【発明を実施するための最良の形態】
【００１２】
図４に示すとおり、本発明の実施例において、自動車エンジン用シリンダー構成品は主に、シリンダー本体２０、その内部に複数のシリンダー２１を設け、シリンダー本体２０の上部にシリンダー蓋２２を設けて、シリンダー蓋２２の上部にスパークプラグ２３と排気バルブ２４を設ける。
【００１３】
複数本のピストン２５は自動車シリンダー本体２０のシリンダー２１内部にそれぞれ進入し、シリンダー２１内部において、往復運動する。ピストン２５上に複数本のＣ型ピストンリング２６を設け、シリンダー２１壁面と摩擦する。
【００１４】
本発明の主な改善は、シリンダー２１の壁面、またはピストン２５とシリンダー２１壁面と摩擦を引き起こす表面は、電気メッキ表面処理技術により、一層のセラミック部材３０を被覆する。シリンダー２１壁面、ピストン２５の摩擦表面に一層のセラミック部材３０に電気メッキ処理を施し、両者の摩擦面に耐磨耗性を有し、磨耗による損害は発生しにくい。かつ、放熱が早く、冷却性が良いなど、炭素の堆積を大幅に低減し、エンジンの使用寿命を延長できる。潤滑性を向上することにより、摩擦抵抗力を軽減し、省燃費性と伝動力を向上できる。耐磨耗性は、ピストン２５とシリンダー２１が往復運動するときに、極めて良い密着性を提供し、シリンダーの気体漏れがなく、黒排煙を防止し、環境保護性を有する。
【００１５】
本発明は実施するとき、シリンダー２１壁面とピストン２５との摩擦表面に一層のセラミック部材３０を電気メッキ処理により被覆することが好ましい。ただし、選択によりセラミック部材３０をシリンダー２１壁面またはピストン２５の摩擦表面にそれぞれ電気メッキ処理を行い、自動車エンジンシリンダー構成品の耐磨耗性と放熱性を向上する。
【図面の簡単な説明】
【００１６】
【図１】公知技術の自動車エンジン用シリンダー構成品の局部分解図である。
【図２】公知技術の自動車エンジン用シリンダー構成品の平面図である。
【図３】図２の３ 〜 ３の断面図である。
【図４】本発明の実施例による組合せ断面図である。
【符号の説明】
【００１７】
１０  シリンダーボディー
１１  シリンダー
１２  シリンダーカーバー
１３  スパークプラグ
１４  排気バルブ
１５  ピストン
１６  ピストンリング
１７  連稈
１８  クランクシャフト
２０  シリンダーボディー
２１  シリンダー
２２  シリンダーボディー
２３  スパークプラグ
２６  ピストンリング
２４  排気バルブ
２５  ピストン
３０  セラミック部材
【図１】
2008032048.tif 000003
【図２】
2008032048.tif 000004
【図３】
2008032048.tif 000005
【図４】
2008032048.tif 000006